(57)【要約】【課題】  箱体に内容物とスプーンを収容し、該箱体の開口を蓋により被覆してなる容器において、スプーンが内容物に埋没しないように簡易確実に支持可能にするとともに、スプーンの形状性を向上すること。【解決手段】  容器１００であって、各折返し板１３Ｂ、１４Ｂのスプーン支持片３１、４１が折り目線ｃ、ｄを中心として各側板１３、１４の内面に対し箱体１０の内方側に折り起こされて張り出された状態で、当該折返し板のストッパ片３２、４２が上記折り目線ｃ、ｄよりも貼付け部３０、４０に対する反対側で当該側板１３、１４の内面に係止されるもの。【選択図】  図３
2010208677.tif 000002
【特許請求の範囲】
【請求項１】
箱体に内容物とスプーンを収容し、該箱体の開口を蓋により被覆可能にするものであり、
箱体の相対する側壁の上側辺に該側壁の内面側に折り返される折返し板を連設し、この相対する折返し板のそれぞれにスプーンの両端部のそれぞれを支持するスプーン支持片を設けた容器であって、
各折返し板は、各側壁の上側辺寄りに設けられる貼付け部が該側壁の内面に貼着され、各側壁の上側辺に対して貼付け部を挟む下縁側に折り目線を介して設けられるスプーン支持片が該側壁の内面に対し箱体の内方側に折り起こされて張り出し可能にされ、スプーン支持片の貼付け部に沿う折り目線上の一部において該スプーン支持片の側から該貼付け部の側に向かって凸状をなすストッパ片が延在されてなり、
各折返し板のスプーン支持片が折り目線を中心として各側壁の内面に対し箱体の内方側に折り起こされて張り出された状態で、当該折返し板のストッパ片が上記折り目線よりも貼付け部に対する反対側で当該側壁の内面に係止される容器。
【請求項２】
一方の折返し板のスプーン支持片が他方の折返し板の貼付け部に対する間隔と、他方の折返し板のスプーン支持片が一方の折返し板の貼付け部に対する間隔のそれぞれが、スプーンの全長より短く設定される請求項１に記載の容器。
【請求項３】
スプーンが柄の先端側に計量カップを有してなり、計量カップの先端外面が当該先端方向で該計量カップの下側の底部から上側の口部に向かう上向き勾配状の傾斜状すくい面をなす請求項１又は２に記載の容器。
【発明の詳細な説明】
【技術分野】
【０００１】
本発明は容器に関する。
【背景技術】
【０００２】
箱体に内容物とスプーンを収容し、該箱体の開口を蓋により被覆してなる容器において、蓋を開いたときにスプーンが内容物に埋没していることを回避するため、特許文献１に記載の如く、箱体の相対する側壁の上側辺に該側壁の内面側に折り返される折返し板を連設し、この相対する折返し板のそれぞれにスプーンの両端部のそれぞれを引掛けるスリット状のスプーン引掛け部を切り込み形成したものがある。
【０００３】
また、特許文献２に記載の容器では、箱体の１つの側壁の上側辺から内面側に折り返される折返し板から箱の内方側に切り落とされる舌片状のフックを設け、このフックにスプーンの柄に設けた孔を引掛けるものとしている。
【先行技術文献】
【特許文献】
【０００４】
【特許文献１】特開2005-178800
【特許文献２】特開2007-55674
【発明の概要】
【発明が解決しようとする課題】
【０００５】
特許文献１に記載の容器には以下の問題点がある。
(1)スプーン引掛け部が箱体の折返し板にスリット状をなすように切り込み形成したものであり、引掛け代は折返し板の板厚程度であって浅い。このため、スプーンの両端部にスプーン引掛け部に係合し得る引掛突部を設け、このスプーンの引掛突部をスプーン引掛け部のスリットに狙い合せて引掛け操作する必要があり、スプーンの引掛け操作性が悪い。
【０００６】
(2)スプーンの引掛突部がスプーン引掛部に引掛かる引掛け代が浅いから、スプーンの引掛け状態が振動等で外れる可能性がある。
【０００７】
(3)スプーンの先端側の計量カップの先端外面の最先端部に引掛突部を突設する必要があるから、計量カップが内容物をスムースにすくいとるための傾斜状すくい面をその先端外面の最先端部にまで連続形成できない。
【０００８】
特許文献２に記載の容器には以下の問題点がある。
(4)スプーンの柄の孔を舌片状のフックに狙い合せて引掛け操作する必要があり、スプーンの引掛け操作性が悪い。
【０００９】
(5)スプーンの柄の孔が引掛かる舌片状のフックが外力によりたわみ易く、スプーンの引掛け状態が振動等で外れる可能性がある。
【００１０】
(6)スプーンの柄に孔を設ける必要がある。
【００１１】
本発明の課題は、箱体に内容物とスプーンを収容し、該箱体の開口を蓋により被覆してなる容器において、スプーンが内容物に埋没しないように簡易確実に支持可能にするとともに、スプーンの形状性を向上することにある。
【課題を解決するための手段】
【００１２】
請求項１の発明は、箱体に内容物とスプーンを収容し、該箱体の開口を蓋により被覆可能にするものであり、箱体の相対する側壁の上側辺に該側壁の内面側に折り返される折返し板を連設し、この相対する折返し板のそれぞれにスプーンの両端部のそれぞれを支持するスプーン支持片を設けた容器であって、各折返し板は、各側壁の上側辺寄りに設けられる貼付け部が該側壁の内面に貼着され、各側壁の上側辺に対して貼付け部を挟む下縁側に折り目線を介して設けられるスプーン支持片が該側壁の内面に対し箱体の内方側に折り起こされて張り出し可能にされ、スプーン支持片の貼付け部に沿う折り目線上の一部において該スプーン支持片の側から該貼付け部の側に向かって凸状をなすストッパ片が延在されてなり、各折返し板のスプーン支持片が折り目線を中心として各側壁の内面に対し箱体の内方側に折り起こされて張り出された状態で、当該折返し板のストッパ片が上記折り目線よりも貼付け部に対する反対側で当該側壁の内面に係止されるようにしたものである。
【発明の効果】
【００１３】
(a)相対する折返し板のスプーン支持片が折り目線を中心として各側壁の内面に対し箱体の内方側に折り起こされて張り出される。各スプーン支持片の張り出し長さは必要十分に設定でき、スプーンの両端部をそれらのスプーン支持片に単に上から載せ置くだけで、スプーンの両端部を内容物の上方に支持でき、スプーンが内容物に埋没しないように簡易に支持できる。
【００１４】
(b)各折返し板のスプーン支持片が箱体の内方側に折り起こされて張り出された状態で、当該折返し板のストッパ片が貼付け部に対する反対側で側壁の内面に係止され、スプーン支持片が折り起こされて張り出された状態をロックされる。各スプーン支持片の張り出し長さを必要十分に設定でき、かつその張り出し状態をロックできることから、スプーンの支持状態が振動等で外れることなく確実化できる。
【００１５】
(c)スプーンは相対する折返し板のスプーン支持片の上に単に載せ置かれて支持されるものであり、支持されるための引掛突部等の格別の形態を備えることを必要とされず、その形状性を向上できる。
【図面の簡単な説明】
【００１６】
【図１】図１は実施例１の容器を示す斜視図である。
【図２】図２は容器の箱体に内容物とスプーンを収容した状態を示す斜視図である。
【図３】図３は図２の箱体の内部を示す模式断面図である。
【図４】図４は容器の箱体を構成する厚紙の展開図である。
【図５】図５は図４のスプーン支持片が設けられる折返し板を示す拡大図である。
【図６】図６は実施例２の容器の箱体に内容物とスプーンを収容した状態を示す斜視図である。
【図７】図７は図６の箱体の内部を示す模式断面図である。
【図８】図８は容器の箱体を構成する厚紙の展開図である。
【発明を実施するための形態】
【００１７】
（実施例１）
図１に示す実施例１の容器１００は、例えば粉体洗剤を内容物１とするものであり、図２、図３に示す如く、箱体１０に内容物１とスプーン５０を収容し、箱体１０の開口を蓋２０により被覆可能にする。容器１００を開封した使用者は、スプーン５０により内容物１をすくいとって計量し、小出しできる。
【００１８】
箱体１０は、紙だけ、又は紙を主材料としたプラスチックフィルムをラミネートされた厚紙の素材を折り曲げて組立てたものである。箱体１０を構成する厚紙は、図４に示す如く、正面板１１、背面板１２、両側板１３、１４を互いに折曲げ可能に連設し、背面板１２の一側に糊付フラップ１５を連設し、それら各板１１〜１４の下側辺（箱体１０の組立状態で下側になる辺を下側辺という）に箱体１０の底１０Ａを形成するための底板１１Ａ〜１４Ａを折曲げ可能に連設し、それら各板１１〜１４の上側辺（箱体１０の組立状態で上側になる辺を上側辺という）に各板１１〜１４の内面側に折り返されて貼着される折返し板１１Ｂ〜１４Ｂを折曲げ可能に連設している。
【００１９】
蓋２０は、紙だけ、又は紙を主材料としたプラスチックフィルムをラミネートされた厚紙の素材を折り曲げて組立てたものであり、前板２１、後板２２、両側板２３、２４、天板２５を有する。蓋２０は、箱体１０の背面板１２に接着されるヒンジ結合部（不図示）を後板２２に備え、箱体１０の開口を覆う。蓋２０は、前板２１の下縁中央部につまみ片２６を突出させ、つまみ片２６の裏面を箱体１０の正面板１１の外面に貼り付け、箱体１０の開口を封止する。
【００２０】
容器１００は、箱体１０の正面板１１、背面板１２、両側板１３、１４を側壁とし、相対する一組の側壁である両側板１３、１４の上側辺ａ、ｂに連設した折返し板１３Ｂ、１４Ｂのそれぞれに、スプーン５０の両端部である柄５１と計量カップ５２の先端部のそれぞれを支持するスプーン支持片３１、４１を設ける。
【００２１】
各折返し板１３Ｂ、１４Ｂは、図１〜図５に示す如く、各側板１３、１４の上側辺ａ、ｂ寄りに設けられる貼付け部３０、４０が該側板１３、１４の内面に貼着される。そして、各側板１３、１４の上側辺ａ、ｂに対して貼付け部３０、４０を挟む下縁側に折り目線ｃ、ｄを介して設けられるスプーン支持片３１、４１が該側板１３、１４の内面に対し箱体１０の内方側に折り起こされて張り出し可能にされる。更に、各スプーン支持片３１、４１の貼付け部３０、４０に沿う折り目線ｃ、ｄ上の一部において該スプーン支持片３１、４１の側から該スプーン支持片３１、４１と同一面をなして該貼付け部３０、４０の側に向かう凸状をなすストッパ片３２、４２が延在される。各折返し板１３Ｂ、１４Ｂにおいて、ストッパ片３２、４２は門型状切込線ｅ、ｆにより貼付け部３０、４０の側から切離される。
【００２２】
本実施例において、各折返し板１３Ｂ、１４Ｂは各側板１３、１４の上側辺ａ、ｂの両端部に対して箱体１０の開口から底板１３Ａ、１４Ａの側に入るに従って僅かに縮幅化されているものの、各スプーン支持片３１、４１は箱体１０の内部で相対する正面板１１と背面板１２の間隔の概ね全域に渡る広幅をなす。各スプーン支持片３１、４１はその広幅をなす幅方向の中央部にストッパ片３２、４２を設け、ストッパ片３２、４２を除く幅方向の両端部に折り目線ｃ、ｄを設けている。
【００２３】
折返し板１３Ｂの貼付け部３０に対し、スプーン支持片３１とストッパ片３２は折り目線ｃを回転中心として回転角度90度をこえて回転する。これにより、図１に示す如く、折返し板１３Ｂのスプーン支持片３１が折り目線ｃを回転中心として側板１３の内面に対し箱体１０の内方側に折り起こされて張り出された状態で、折返し板１３Ｂのストッパ片３２が上記折り目線ｃよりも貼付け部３０に対する反対側の先端縁部で側板１３の内面に係止される。このとき、貼付け部３０における、ストッパ片３２の両側に位置し、かつ折り目線ｃ寄りとなる部分だけは側板１３の内面に非貼着とされ、スプーン支持片３１とストッパ片３２の回転容易化を図ることができる。
【００２４】
また、折返し板１４Ｂの貼付け部４０に対し、スプーン支持片４１とストッパ片４２は
折り目線ｄを回転中心として回転角度90度をこえて回転する。これにより、図１に示す如く、折返し板１４Ｂのスプーン支持片４１が折り目線ｄを回転中心として側板１４の内面に対し箱体１０の内方側に折り起こされて張り出された状態で、折返し板１４Ｂのストッパ片４２が上記折り目線ｄよりも貼付け部４０に対する反対側の先端縁部で側板１４の内面に係止される。このとき、貼付け部４０における、ストッパ片４２の両側に位置し、かつ折り目線ｄ寄りとなる部分だけは側板１４の内面に非貼着とされ、スプーン支持片４１とストッパ片４２の回転容易化を図ることができる。
【００２５】
ストッパ片３２、４２の先端縁部は側板１３、１４の内面との摩擦力によって側板１３、１４の内面に係止される。側板１３、１４がコートボール紙からなるとき、ストッパ片３２、４２の先端縁部が係止する側板１３、１４の内面は、コートボール紙の裏面（滑らかでない面）とすることが、その係止を確実にする点で、好ましい。
【００２６】
容器１００にあっては、箱体１０に内容物１とスプーン５０を収容するとき、図２、図３に示す如く、スプーン５０の柄５１が一方の折返し板１３Ｂのスプーン支持片３１の上に載せ置かれて支持され、スプーン５０の計量カップ５２の先端部が他方の折返し板１４Ｂのスプーン支持片４２の上に載せ置かれて支持される。
【００２７】
容器１００では、図３に示す如く、一方の折返し板１３Ｂのスプーン支持片３１が他方の折返し板１４Ｂの貼付け部４０に対する間隔Ｌ1と、他方の折返し板１４Ｂのスプーン支持片４１が一方の折返し板１３Ｂの貼付け部３０に対する間隔Ｌ2のそれぞれを、スプーン５０の全長Ｓより短く設定している。Ｌ1＜Ｓ、Ｌ2＜Ｓである。
【００２８】
スプーン５０は、図３に示す如く、柄５１の先端側に計量カップ５２を有しており、計量カップ５２の先端外面が当該先端方向で該計量カップ５２の下側の底部５２Ａから上側の口部５２Ｂに向かう上向き勾配状の傾斜状すくい面５３をなすものとしている。
【００２９】
本実施例によれば以下の作用効果を奏する。
(a)相対する折返し板１３Ｂ、１４Ｂのスプーン支持片３１、４１が折り目線ｃ、ｄを中心として各側板１３、１４の内面に対し箱体１０の内方側に折り起こされて張り出される。各スプーン支持片３１、４１の張り出し長さは必要十分に設定でき、スプーン５０の両端部をそれらのスプーン支持片３１、４１に単に上から載せ置くだけで、スプーン５０の両端部を内容物１の上方に支持でき、スプーン５０が内容物１に埋没しないように簡易に支持できる。
【００３０】
(b)各折返し板１３Ｂ、１４Ｂのスプーン支持片３１、４１が箱体１０の内方側に折り起こされて張り出された状態で、当該折返し板１３Ｂ、１４Ｂのストッパ片３２、４２が貼付け部３０、４０に対する反対側で側板１３、１４の内面に係止され、スプーン支持片３１、４１が折り起こされて張り出された状態をロックされる。各スプーン支持片３１、４１の張り出し長さを必要十分に設定でき、かつその張り出し状態をロックできることから、スプーン５０の支持状態が振動等で外れることなく確実化できる。
【００３１】
(c)スプーン５０は相対する折返し板１３Ｂ、１４Ｂのスプーン支持片３１、４１の上に単に載せ置かれて支持されるものであり、支持されるための引掛突部等の格別の形態を備えることを必要とされず、その形状性を向上できる。
【００３２】
(d)一方の折返し板１３Ｂのスプーン支持片３１が他方の折返し板１４Ｂの貼付け部４０に対する間隔Ｌ1と、他方の折返し板１４Ｂのスプーン支持片４１が一方の折返し板１３Ｂの貼付け部３０に対する間隔Ｌ2のそれぞれが、スプーン５０の全長Ｓより短く設定される。
【００３３】
スプーン５０の計量カップ５２が他方の折返し板１４Ｂの貼付け部４０に突き当たるように、他方の折返し板１４Ｂの側に偏って位置付けられたとしても、一方の折返し板１３Ｂのスプーン支持片３１が他方の折返し板１４Ｂの貼付け部４０に対する間隔Ｌ1がスプーン５０の全長Ｓより短く設定されるから、スプーン５０の一端である柄５１の端部が一方のスプーン支持片３１から脱落することなく、スプーン５０を両方のスプーン支持片３１、４１により確実に支持できる。
【００３４】
スプーン５０の柄５１が一方の折返し板１３Ｂの貼付け部３０に突き当たるように、一方の折返し板１３Ｂの側に偏って位置付けられたとしても、他方の折返し板１４Ｂのスプーン支持片４１が一方の折返し板１３Ｂの貼付け部３０に対する間隔Ｌ2がスプーン５０の全長Ｓより短く設定されるから、スプーン５０の他端である計量カップ５２の端部が他方のスプーン支持片４１から脱落することなく、スプーン５０を両方のスプーン支持片３１、４１により確実に支持できる。
【００３５】
(e)スプーン５０は、前述(c)の如く、各スプーン支持片３１、４１に支持されるための引掛突部等の格別の形態を備えることを必要としない。従って、スプーン５０の他端である計量カップ５２の先端外面を当該先端方向で該計量カップ５２の下側の底部５２Ａから上側の口部５２Ｂに向かう上向き勾配状の傾斜状すくい面５３にしたから、該スプーン５０の他端を対応するスプーン支持片４１の上に載せて支持できる。計量カップ５２の先端外面が傾斜状すくい面５３を備えることにより、計量カップ５２は内容物１をスムースにすくいとりできる。
【００３６】
（実施例２）
図６〜図８は実施例２の容器１００を示すものである。実施例２の容器１００が実施例１の容器１００と異なる点は、各スプーン支持片３１、４１に相当するスプーン支持片１３１、１４１を箱体１０の正面板１１と背面板１２の折返し板１１Ｂ、１２Ｂのそれぞれに設けたことにある。
【００３７】
即ち、容器１００は、箱体１０の正面板１１、背面板１２、両側板１３、１４を側壁とし、相対する一組の側壁である正面板１１、背面板１２の上側辺ａ、ｂに連設した折返し板１１Ｂ、１２Ｂのそれぞれに、スプーン５０の両端部である柄５１と計量カップ５２の先端部のそれぞれを支持するスプーン支持片１３１、１４１を設ける。
【００３８】
各折返し板１１Ｂ、１２Ｂは、図６〜図８に示す如く、正面板１１、背面板１２の上側辺ａ、ｂ寄りに設けられる貼付け部１３０、１４０が該正面板１１、背面板１２の内面に貼着される。そして、正面板１１、背面板１２の上側辺ａ、ｂに対して貼付け部１３０、１４０を挟む下縁側に折り目線ｃ、ｄを介して設けられるスプーン支持片１３１、１４１が該正面板１１、背面板１２の内面に対し箱体１０の内方側に折り起こされて張り出し可能にされる。更に、各スプーン支持片１３１、１４１の貼付け部１３０、１４０に沿う折り目線ｃ、ｄ上の一部において該スプーン支持片１３１、１４１の側から該スプーン支持片１３１、１４１と同一面をなして該貼付け部１３０、１４０の側に向かう凸状をなすストッパ片１３２、１４２が延在される。各折返し板１１Ｂ、１２Ｂにおいて、ストッパ片１３２、１４２は門型状切込線ｅ、ｆにより貼付け部１３０、１４０の側から切離される。
【００３９】
本実施例において、各スプーン支持片１３１、１４１は箱体１０の内部で相対する側板１３と側板１４の間隔の概ね全域に渡る広幅をなす。各スプーン支持片１３１、１４１はその広幅をなす幅方向の中央部にストッパ片１３２、１４２を設け、ストッパ片１３２、１４２を除く幅方向の両端部に折り目線ｃ、ｄを設けている。
【００４０】
折返し板１１Ｂの貼付け部１３０に対し、スプーン支持片１３１とストッパ片１３２は折り目線ｃを回転中心として回転角度90度をこえて回転する。これにより、図７に示す如く、折返し板１１Ｂのスプーン支持片１３１が折り目線ｃを回転中心として正面板１１の内面に対し箱体１０の内方側に折り起こされて張り出された状態で、折返し板１１Ｂのストッパ片１３２が上記折り目線ｃよりも貼付け部１３０に対する反対側の先端縁部で正面板１１の内面に係止される。このとき、貼付け部１３０における、ストッパ片１３２の両側に位置し、かつ折り目線ｃ寄りとなる部分だけは正面板１１の内面に非貼着とされ、スプーン支持片１３１とストッパ片１３２の回転容易化を図ることができる。
【００４１】
また、折返し板１２Ｂの貼付け部１４０に対し、スプーン支持片１４１とストッパ片１４２は折り目線ｄを回転中心として回転角度90度をこえて回転する。これにより、図７に示す如く、折返し板１２Ｂのスプーン支持片１４１が折り目線ｄを回転中心として背面板１２の内面に対し箱体１０の内方側に折り起こされて張り出された状態で、折返し板１２Ｂのストッパ片１４２が上記折り目線ｄよりも貼付け部１４０に対する反対側の先端縁部で背面板１２の内面に係止される。このとき、貼付け部１４０における、ストッパ片１４２の両側に位置し、かつ折り目線ｄ寄りとなる部分だけは背面板１２の内面に非貼着とされ、スプーン支持片１４１とストッパ片１４２の回転容易化を図ることができる。
【００４２】
ストッパ片１３２、１４２の先端縁部は正面板１１、背面板１２の内面との摩擦力によって正面板１１、背面板１２の内面に係止される。正面板１１、背面板１２がコートボール紙からなるとき、ストッパ片１３２、１４２の先端縁部が係止する正面板１１、背面板１２の内面は、コートボール紙の裏面（滑らかでない面）とすることが、その係止を確実にする点で、好ましい。
【００４３】
容器１００にあっては、箱体１０に内容物１とスプーン５０を収容するとき、図７に示す如く、スプーン５０の柄５１が一方の折返し板１１Ｂのスプーン支持片１３１の上に載せ置かれて支持され、スプーン５０の計量カップ５２の先端部が他方の折返し板１２Ｂのスプーン支持片１４２の上に載せ置かれて支持される。
【００４４】
容器１００では、図７に示す如く、一方の折返し板１１Ｂのスプーン支持片１３１が他方の折返し板１２Ｂの貼付け部１４０に対する間隔Ｌ1と、他方の折返し板１２Ｂのスプーン支持片１４１が一方の折返し板１１Ｂの貼付け部１３０に対する間隔Ｌ2のそれぞれを、スプーン５０の全長Ｓより短く設定している。Ｌ1＜Ｓ、Ｌ2＜Ｓである。
【００４５】
本実施例によれば、実施例１におけると同様の作用効果を奏する。
尚、実施例２の容器１００にあっては、使用者が箱体１０の平面視の短手方向で相対する正面板１１、背面板１２を手指で掴んで把持力を加えたとき、スプーン支持片１３１、１４１に支持してあるスプーン５０がこの把持力に対する突っ張りになる。把持力による箱体１０のゆがみを防止できる。紙容器１００（箱体１０と蓋２０が紙製の容器）においてメリットが大きい。
【００４６】
また、容器１００にあっては、箱体１０に作用する振動により、スプーン支持片１３１、１４１の上で回転するスプーン５０の柄５１及び計量カップ５２がそれらのスプーン支持片１３１、１４１からそれらの間隔内に脱落することのないように、折返し板１１Ｂにおいてストッパ片１３２の形成によって開いた穴に柄５１の端部を突込んでスプーン５０がスプーン支持片１３１、１４１の上で回転しづらくすることが考えられる（図６）。スプーン５０の柄５１、計量カップ５２が支持されるスプーン支持片１３１、１４１の一部（中央部）を更に折り曲げて段差を作ることにより、スプーン５０のスプーン支持片１３１、１４１に対する回転を抑えることも考えられる。
【産業上の利用可能性】
【００４７】
本発明は、箱体に内容物とスプーンを収容し、該箱体の開口を蓋により被覆してなる容器において、スプーンが内容物に埋没しないように簡易確実に支持可能にするとともに、スプーンの形状性を向上することができる。
【符号の説明】
【００４８】
１  内容物
１０  箱体
１１  正面板（側壁）
１２  背面板（側壁）
１３、１４  側板（側壁）
１１Ｂ、１２Ｂ、１３Ｂ、１４Ｂ  折返し板
２０  蓋
３０、４０、１３０、１４０  貼付け部
３１、４１、１３１、１４１  スプーン支持片
３２、４２、１３２、１４２  ストッパ片
５０  スプーン
１００  容器
ａ、ｂ  上側辺
ｃ、ｄ  折り目線
Ｌ1、Ｌ2  間隔
Ｓ  全長
【図１】
2010208677.tif 000003
【図２】
2010208677.tif 000004
【図３】
2010208677.tif 000005
【図４】
2010208677.tif 000006
【図５】
2010208677.tif 000007
【図６】
2010208677.tif 000008
【図７】
2010208677.tif 000009
【図８】
2010208677.tif 000010